(57)【特許請求の範囲】
【請求項１】
ユーザの嗜好情報に応じてコンテンツ情報を編成し、路側無線装置を介して配信するセンター装置と、ユーザの嗜好情報をセンター装置に提供する車載器と、を含む配信システムにおいて、
前記センター装置は、
前記車載器からユーザが設定した前記嗜好情報を受信すると、前記嗜好情報が最新バージョンに対応しているか否かを判断し、対応していない場合、最新バージョンに対応した嗜好情報を設定するための設定情報を生成する配信システム。
【請求項２】
前記設定情報は、複数の項目に分類して嗜好情報を設定するものであり、
前記センター装置は、
前記受信した旧バージョン対応の嗜好情報において最新バージョンに対応する項目については、当該旧バージョンの嗜好情報を予め設定した設定情報を生成し、前記車載器に送信する請求項１に記載の配信システム。
【請求項３】
前記センター装置は、
前記車載器から最新バージョン対応の嗜好情報を受信すると、当該嗜好情報に応じて最新バージョンのコンテンツ情報を編成し、前記車載器に送信する請求項２に記載の配信システム。
【請求項４】
前記車載器は、前記センター装置から最新バージョンに対応した嗜好情報を設定するための設定情報を受信すると、嗜好情報のバージョンが更新された旨をユーザに通知する請求項２又は３に記載の配信システム。
【請求項５】
前記車載器は、入力手段及び表示手段を備え、前記設定情報をセンター装置から受信すると、最新バージョンに対応する嗜好情報の設定を行う旨の指示が前記入力手段を介してなされた場合のみ、前記受信した設定情報に基づいて最新バージョンに対応する嗜好情報を設定するための操作画面を前記表示手段に表示させ、前記入力手段からの操作入力に応じて最新バージョンに対応する嗜好情報を生成し、前記センター装置に送信する請求項４に記載の配信システム。
【請求項６】
前記設定情報は、複数の項目を階層状に分類して嗜好情報を設定するものであり、
前記車載器は、前記嗜好情報を設定するための操作画面において、複数の項目を階層状に構築する請求項５に記載の配信システム。
【請求項７】
ユーザの嗜好情報に応じてコンテンツ情報を編成し、路側無線装置を介して配信するセンター装置と、ユーザの嗜好情報をセンター装置に提供する車載器と、を含む配信システムにおいて、
前記センター装置は、
前記車載器からユーザが設定した前記嗜好情報を受信すると、前記嗜好情報が最新バージョンに対応しているか否かを判断し、対応していない場合、前記受信した旧バージョン対応の嗜好情報において最新バージョンに対応する項目があれば、当該項目に応じて最新バージョンのコンテンツ情報を編成し、前記車載器に送信する配信システム。
【請求項８】
ユーザが設定した嗜好情報に応じてコンテンツ情報を編成し、路側無線装置を介して配信するセンター装置と通信を行う通信手段と、
前記通信手段を介して、前記センター装置から最新バージョンに対応した嗜好情報を設定するための設定情報を受信すると、嗜好情報のバージョンが更新された旨をユーザに通知する制御手段と、
を備える車載器。
【請求項９】
表示手段と、入力手段とを備え、
前記制御手段は、前記設定情報をセンター装置から受信すると、最新バージョンに対応する嗜好情報の設定を行う旨の指示が前記入力手段を介してなされた場合のみ、前記受信した設定情報に基づいて最新バージョンに対応する嗜好情報を設定するための操作画面を前記表示手段に表示させ、前記入力手段からの操作入力に応じて最新バージョンに対応する嗜好情報を生成し、前記通信手段を介して前記センター装置に送信する請求項８に記載の車載器。
【請求項１０】
前記設定情報は、複数の項目を階層状に分類して嗜好情報を設定するものであり、
前記制御手段は、前記嗜好情報を設定するための操作画面において、複数の項目を階層状に構築する請求項９に記載の車載器。
【発明の詳細な説明】
【技術分野】
【０００１】
本発明は、配信システム及び車載器に関する。
【背景技術】
【０００２】
従来、ナビゲーション装置のような車載器では、ＤＳＲＣ（登録商標）（Dedicated Short Range Communication）等を利用して路上に設置された路側無線装置と狭域無線通信を行い、当該路側無線装置を介してセンター装置から情報提供を受けることが可能となっている（例えば、特許文献１、２参照）。すなわち、車両が路側無線装置の通信範囲内にある間のみ、車両の車載器と路側無線装置との双方向通信が可能となり、この間にセンター装置が路側無線装置を介して、広告情報等の各種コンテンツ情報を配信するのである。
【発明の開示】
【発明が解決しようとする課題】
【０００３】
コンテンツ情報の配信に際しては、できるだけ配信する情報の内容を車内のユーザに合わせるため、ユーザの嗜好情報等、コンテンツ情報の配信に関する情報をセンター装置に提供するしくみとなっている。具体的には、車載器のメモリ等に特定の記憶領域を設けてコンテンツ情報の配信に関する情報を書き込んでおき、センター装置からこの領域内の情報にアクセスして、コンテンツ情報の配信に関する情報を取得できる構成としている。センター装置は取得した情報を元に車内のユーザに適したコンテンツ情報を編成して配信する。
【０００４】
嗜好情報は、バージョンを更新する場合がある。古いバージョンのままではユーザの嗜好に応じたコンテンツ情報の編成ができないため、バージョンが更新されるとユーザが嗜好情報を設定し直す必要がある。
【０００５】
本発明の課題は、嗜好情報のバージョン更新に容易に対応することである。
【課題を解決するための手段】
【０００６】
請求項１に記載の発明によれば、
ユーザの嗜好情報に応じてコンテンツ情報を編成し、路側無線装置を介して配信するセンター装置と、ユーザの嗜好情報をセンター装置に提供する車載器と、を含む配信システムにおいて、
前記センター装置は、
前記車載器からユーザが設定した前記嗜好情報を受信すると、前記嗜好情報が最新バージョンに対応しているか否かを判断し、対応していない場合、最新バージョンに対応した嗜好情報を設定するための設定情報を生成する配信システムが提供される。
【０００７】
請求項２に記載の発明によれば、
前記設定情報は、複数の項目に分類して嗜好情報を設定するものであり、
前記センター装置は、
前記受信した旧バージョン対応の嗜好情報において最新バージョンに対応する項目については、当該旧バージョンの嗜好情報を予め設定した設定情報を生成し、前記車載器に送信する請求項１に記載の配信システムが提供される。
【０００８】
請求項３に記載の発明によれば、
前記センター装置は、
前記車載器から最新バージョン対応の嗜好情報を受信すると、当該嗜好情報に応じて最新バージョンのコンテンツ情報を編成し、前記車載器に送信する請求項２に記載の配信システムが提供される。
【０００９】
請求項４に記載の発明によれば、
前記車載器は、前記センター装置から最新バージョンに対応した嗜好情報を設定するための設定情報を受信すると、嗜好情報のバージョンが更新された旨をユーザに通知する請求項２又は３に記載の配信システムが提供される。
【００１０】
請求項５に記載の発明によれば、
前記車載器は、入力手段及び表示手段を備え、前記設定情報をセンター装置から受信すると、最新バージョンに対応する嗜好情報の設定を行う旨の指示が前記入力手段を介してなされた場合のみ、前記受信した設定情報に基づいて最新バージョンに対応する嗜好情報を設定するための操作画面を前記表示手段に表示させ、前記入力手段からの操作入力に応じて最新バージョンに対応する嗜好情報を生成し、前記センター装置に送信する請求項４に記載の配信システムが提供される。
【００１１】
請求項６に記載の発明によれば、
前記設定情報は、複数の項目を階層状に分類して嗜好情報を設定するものであり、
前記車載器は、前記嗜好情報を設定するための操作画面において、複数の項目を階層状に構築する請求項５に記載の配信システムが提供される。
【００１２】
請求項７に記載の発明によれば、
ユーザの嗜好情報に応じてコンテンツ情報を編成し、路側無線装置を介して配信するセンター装置と、ユーザの嗜好情報をセンター装置に提供する車載器と、を含む配信システムにおいて、
前記センター装置は、
前記車載器からユーザが設定した前記嗜好情報を受信すると、前記嗜好情報が最新バージョンに対応しているか否かを判断し、対応していない場合、前記受信した旧バージョン対応の嗜好情報において最新バージョンに対応する項目があれば、当該項目に応じて最新バージョンのコンテンツ情報を編成し、前記車載器に送信する配信システムが提供される。
【００１３】
請求項８に記載の発明によれば、
ユーザが設定した嗜好情報に応じてコンテンツ情報を編成し、路側無線装置を介して配信するセンター装置と通信を行う通信手段と、
前記通信手段を介して、前記センター装置から最新バージョンに対応した嗜好情報を設定するための設定情報を受信すると、嗜好情報のバージョンが更新された旨をユーザに通知する制御手段と、
を備える車載器が提供される。
【００１４】
請求項９に記載の発明によれば、
表示手段と、入力手段とを備え、
前記制御手段は、前記設定情報をセンター装置から受信すると、最新バージョンに対応する嗜好情報の設定を行う旨の指示が前記入力手段を介してなされた場合のみ、前記受信した設定情報に基づいて最新バージョンに対応する嗜好情報を設定するための操作画面を前記表示手段に表示させ、前記入力手段からの操作入力に応じて最新バージョンに対応する嗜好情報を生成し、前記通信手段を介して前記センター装置に送信する請求項８に記載の車載器が提供される。
【００１５】
請求項１０に記載の発明によれば、
前記設定情報は、複数の項目を階層状に分類して嗜好情報を設定するものであり、
前記制御手段は、前記嗜好情報を設定するための操作画面において、複数の項目を階層状に構築する請求項９に記載の車載器が提供される。
【発明の効果】
【００１６】
本発明によれば、嗜好情報のバージョンが更新された場合でも、車載器において設定情報に基づき最新バージョン対応の嗜好情報の設定を容易に行うことができる。
また、本発明によれば、設定情報の受信によりバージョンが更新されたことをユーザに知らせることができる。
よって、バージョン更新に容易に対応することが可能となる。
【発明を実施するための最良の形態】
【００１７】
まず、構成を説明する。
図１に、本実施形態における配信システム１００を示す。
配信システム１００は、図１に示すように、車両Ｃに搭載された車載器１０、路側無線装置２０、センター装置３０を含んで構成され、センター装置３０が路側無線装置２０を介して車載器１０にコンテンツ情報を配信する。路側無線装置２０は路上や駐車場等に複数設置され、各路側無線装置２０はネットワークＮを介してセンター装置３０と接続されている。また、路側無線装置２０と、路上を走行する車両Ｃの車載器１０とは無線通信が可能である。
【００１８】
なお、コンテンツ情報とは、店舗の広告や駐車場、医療施設の案内等のコンテンツ（テキスト情報、画像情報、音情報）の他、コンテンツを提供する事業者に関する情報、コンテンツの有効期限の情報（例えば、有効期限の開始と終了の日時）、サービスを提供可能な対象地点の情報（例えば、広告している店舗の地点を示す緯度経度や店舗名等）、コンテンツの通知を行うポップアップ再生を行うべき再生地点（例えば、再生地点を示す緯度経度、再生する道路種別や車両の進入方向を指定する情報等）、コンテンツの表示画面の遷移情報（次に表示する画面を指定する情報等）、後述する嗜好情報等を含めて、車載器３０に送信される一まとまりの情報をいう。
また、コンテンツは嗜好情報で設定されている項目により分類され、コンテンツ情報にはその分類された項目を示す情報が含まれる。
【００１９】
以下、各構成装置について詳細に説明する。
路側無線装置２０は、図２に示すように本体装置２０ａとアンテナ２０ｂとから構成されている。路側無線装置２０は、道路脇や道路上方に設置されたアンテナ２０ｂから、到達距離が限定されたＤＳＲＣの電波を放射して、路側無線装置２０近傍に相互通信エリアＺを形成する。この相互通信エリアＺ内にある車両Ｃの車載器１０とだけ双方向狭域無線通信が可能となる。以下、路側無線装置２０と車載器１０間の狭域無線通信を路車間通信という場合がある。
【００２０】
ＤＳＲＣは５．８GHz帯域の電波を使った通信方式であり、その通信範囲は例えば数
メートルから数十メートルである。路側無線装置２０からのＤＳＲＣの送信出力は何れも同じ程度に設定されているので、複数の路側無線装置２０がそれぞれ形成する相互通信エリアＺは設置場所に関係なく、ほぼ一定である。
【００２１】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａは、情報処理や通信制御を行う制御部、記憶部等を備えたコンピュータ端末を適用することができる。
【００２２】
車載器１０は、車両Ｃに搭載され、案内経路への誘導のための処理等を行うナビゲーション機能の他、ＤＳＲＣによるＥＴＣ（登録商標）（Electronic Toll Collection System）利用のための処理を行う機能等を有している。
車載器１０は、図３に示すように、カーナビ部１、ＶＩＣＳ（登録商標）モジュール２、ＤＳＲＣ部３、制御部４を備えて構成されている。
【００２３】
制御部４は、ＣＰＵ（Central Processing Unit）、ＲＡＭ（Random Access Memory）
等から構成され、記憶部１ｆに記憶された制御プログラムとの協働により各種演算を行う他、各部の集中制御を行う。
例えば、路側無線装置２０との路者間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツ情報の保存、再生制御等を行う。
【００２４】
カーナビ部１は、カーナビ制御部１ａ、現在地検出部１ｂ、地図記憶部１ｃ、入力部１ｄ、表示部１ｅ、記憶部１ｆ等を備えて、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２５】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２６】
地図記憶部１ｃは、メモリやＤＶＤ等の記録媒体から構成され、案内表示に必要な地図情報、ＶＩＣＳモジュール２を介して受信されるガイド情報（道路情報、渋滞情報等）等を記憶している。
【００２７】
入力部１ｄは、操作キーや表示部１ｅと一体に構成されるタッチパネル等から構成されている。入力部１ｄは、これらの操作に対応する操作信号を生成し、制御部３１に出力する。
表示部１ｅは、モニタを備え、制御部４の制御に従ってモニタ上に各種情報を表示する。例えば、設定画面や地図画面、センター装置１０から受信したコンテンツ情報の表示画面等である。
【００２８】
記憶部１ｆは、メモリから構成され、制御部４やカーナビ制御部１ａにより実行される制御プログラム、プログラムの実行に必要なパラメータやデータ等を記憶している。
また、記憶部１ｆは、センター装置３０に提供するアップリンク情報を記憶するとともに、センター装置３０から受信したコンテンツ情報を記憶する。ユーザがコンテンツ情報の配信について契約をした配信事業者（以下、正規の配信事業者という。）が複数ある場合には、アップリンク情報は各配信事業者に応じた内容で制御部４によりそれぞれ生成され、記憶部１ｆに記憶される。アップリンク情報は最新の内容となるように制御部４が常に更新を行って記憶部１ｆに保存させる。アップリンク情報の詳細については後述する。
【００２９】
ＶＩＣＳモジュール２は、光通信用、ＦＭ通信用、２．４GHz電波通信用のアンテナを
それぞれ備え、ＶＩＣＳセンターと光通信、ＦＭ通信、電波通信を行う。ＶＩＣＳモジュール２はＶＩＣＳセンターから渋滞情報や道路交通情報等を受信し、制御部３１に出力する。
【００３０】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００３１】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツ情報を受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツ情報を受信した場合にはこれを制御部４に出力する。
【００３２】
通信部３ｂは、車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００３３】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、図４に示すようにセンター装置３０に情報を提供するために専用に設けられた記憶領域であり、図４に示すアップリンク情報ｍ１の他、車載器１０の特性情報（図示せず）が記憶される。
【００３４】
特性情報とは、車載器１０の機器特性に関する情報をいう。特性情報には、車載器１０の車載器ＩＤ、車載器１０が対応できる言語、地図の測地系、著作権管理技術、表示部１ｅのディスプレイの解像度、ＳＶＧ（Scalable Vector Graphics）の対応性、コンテンツ情報を蓄積可能な記憶容量等の情報が含まれる。なお、車載器ＩＤは各車載器１０に固有の識別情報である。
【００３５】
アップリンク情報ｍ１とは、センター装置３０においてどのような内容のコンテンツ情報を配信するかを決定する際に用いられる情報である。アップリンク情報ｍ１には、配信事業者の特定情報、車両Ｃの目的地情報、経由地情報、累計走行距離情報、過去の立ち寄り地情報、ユーザの嗜好情報、広告視聴履歴情報等が含まれる。図４に例を示すように、アップリンク情報ｍ１は配信事業者Ａ、Ｂの配信事業者毎に生成され、アップリンク情報記憶領域Ｍに記憶される。
【００３６】
配信事業者の特定情報は、ユーザが予めコンテンツ情報の配信について契約した配信事業者を特定する情報であり、例えば事業者コード、事業者名等である。
車両Ｃの目的地情報は、カーナビ部１で設定された目的地の緯度、経度の情報であり、経由地情報はカーナビ部１で設定された目的地までの誘導経路において経由する地点の緯度、経度の情報である。また、累計走行距離情報はＤＳＲＣ部３のセットアップ（起動）時点から現在までの車両Ｃの累計走行距離の情報であり、過去の立ち寄り地情報は過去に車両Ｃが停車した（つまり車載器１０の電源がＯＮ又はＯＦＦされた）地点の緯度、経度の情報及び時刻情報である。
【００３７】
嗜好情報は、センター装置３０においてユーザの嗜好に合わせてコンテンツ情報を編成するために用いるものである。嗜好情報は、コンテンツ情報を分類した複数の項目毎にユーザの嗜好性に関する情報を設定したものである。項目は配信事業者が任意に設定できる。
図５は、１〜９６項目についてユーザが視聴したいか否かの嗜好性が設定された嗜好情報の例である。図５に示すように、嗜好情報には対応する嗜好情報のバージョンの情報、全項目数の情報を先頭に、各項目について項目番号、項目名を示す表示用テキスト、階層の情報が設定されている。バージョンが異なると、各項目の内容が異なるものとなる。
【００３８】
項目は階層構造を有しており、上記階層の情報は各項目がどの階層にあたるのかを示す情報である。「０」は最上位の階層であることを示し、「１」、「２」と数字が大きくなるにつれて下位になることを示す。また、項目間の従属関係は項目番号により示す。つまり、従属関係のある項目群単位で各項目を並べ、その項目群の中でも従属関係のある項目については、上位の項目のすぐ後に従属する下位の項目を並べて項目番号を付与することにより、項目番号順に階層の情報を読み込めば従属関係と階層を判断することができる。
【００３９】
図５の例で説明すると、最上位である「暮らし」の項目は項目番号「１」、階層は「０」である。そのすぐ後の項目番号「２」の「病院」の項目は階層が「１」であるので、「暮らし」の項目より階層が下位でありかつ「暮らし」の項目に従属していることが分かる。ここで、「病院」の項目にさらに「小児科」、「内科」の項目が従属する場合にはこれらの項目は「病院」のすぐ後の項目番号「３」、「４」が付され、階層は何れも「２」とされる。また、「暮らし」と同じ階層位の項目「ショッピング」がある場合、「ショッピング」の項目には、「暮らし」の項目に従属する全ての項目のすぐ後の順番となるよう項目番号が付され、階層は「０」とされる。
【００４０】
各項目については、ユーザがその項目のコンテンツ情報を視聴したいか否かの嗜好性を設定することができ、視聴したいと設定された場合にはその項目に「１」のフラグが書き込まれる。一方、視聴したくないと設定された場合には「０」のフラグが書き込まれる。
【００４１】
広告視聴情報は、センター装置３０から配信された広告情報の情報コード及びその広告情報のうち、実際に表示部１ｅに表示される等して再生された広告情報の情報コード、その再生時の時刻情報である。
【００４２】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００４３】
次に、センター装置３０について説明する。
センター装置３０は、コンテンツ情報を記憶し、これを車載器１０に配信する。
なお、図１では１台のセンター装置３０のみ示したが、コンテンツ情報を配信する配信事業者は複数あり、センター装置３０は配信事業者毎に備えられるものである。
図６に、センター装置３０の機能的構成を示す。
図６に示すように、センター装置３０は制御部３１、入力部３２、表示部３３、記憶部３４、通信部３５を備えて構成されている。
【００４４】
制御部３１は、ＣＰＵ、ＲＡＭ等から構成され、記憶部３４に記憶された制御プログラムとの協働により各種演算を行う他、各部の集中制御を行う。
例えば、制御部３１は記憶部３４に保存されているコンテンツ情報を読み出して編成したり、編成したコンテンツ情報の配信制御を行う。なお、編成とは配信するコンテンツ情報をアップリンク情報に基づいて選択すること等をいう。
【００４５】
入力部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００４６】
記憶部３４は、制御部３１により実行されるプログラムの他、プログラムの実行に必要な各種データを記憶する。また、記憶部３４は配信すべきコンテンツ情報を記憶している。上述のように、コンテンツ情報は嗜好情報の項目によって分類されている。
【００４７】
記憶部３４は、コンテンツ情報の配信事業者に個別に付与されている事業者コードを記憶している。また、ユーザはコンテンツ情報の配信サービスに加入する契約を行う際、会員登録を行うので、記憶部３４はこの会員登録されたユーザの氏名、住所等の特定情報の他、ユーザが所有する車載器１０の車載器ＩＤ、ユーザの嗜好情報等の情報をユーザ毎にデータベース化して記憶する。
【００４８】
次に、動作について説明する。
図７は、コンテンツ情報を配信する際におけるセンター装置３０、路側無線装置２０、車載器１０の各装置における処理の流れを説明するフローチャートである。
図７に示すように、まず車両Ｃのエンジンが起動し、車載器１０の電源が投入されると（ステップＳ１）、制御部４は車載器１０の特性情報を生成し、記憶部３ｃのアップリンク情報記憶領域Ｍに書き込む（ステップＳ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、アップリンク情報記憶領域Ｍの対応する領域に当該コードを書き込む。なお、実際には書込を指示する制御情報をＤＳＲＣ制御部３ａに出力し、このＤＳＲＣ制御部３ａがアップリンク情報記憶領域Ｍに書き込む。
【００４９】
その後、車両Ｃが走行を開始し、路側無線装置２０の相互通信エリアＺに進入すると（エリアイン）、路側無線装置２０は車両Ｃを検出し、車載器１０のＤＳＲＣ部３とＤＳＲＣ通信による接続処理を開始する（ステップＳ３ａ、Ｓ３ｂ）。すなわち、ＤＳＲＣの電波を送出し、車載器１０からの応答が得られると、通信路を確立する。通信路を確立すると、路側無線装置２０はセンター装置３０に対し接続が完了した旨の通知情報を送信する（ステップＳ４ａ）。一方、車載器１０のＤＳＲＣ部３は制御部４に対し接続が完了した旨の通知情報を出力する（ステップＳ４ｂ）。
【００５０】
次いで、路側無線装置２０が車載器１０のＤＳＲＣ部３に対し、アップリンク情報記憶領域Ｍ内の情報の送信要求を行うと、ＤＳＲＣ部３はアップリンク情報記憶領域Ｍに書き込まれている特性情報を路側無線装置２０に送信する（ステップＳ５）。特性情報は路側無線装置２０を介してセンター装置３０に送信される。
センター装置３０は、受信した特性情報に含まれる、車載器１０に対し個別に割り振られたＩＤ（以下、車載器ＩＤという）を元に車載器１０のユーザが配信サービスの会員か否かを判断する（ステップＳ６）。
【００５１】
会員データベースに登録されている配信サービスの全会員の車載器ＩＤのうち、受信した車載器ＩＤと一致するものがなく、非会員であると判断すると（ステップＳ６；Ｎ）、非会員用のコンテンツ情報を路側無線装置２０を介して車載器３０に送信する（ステップＳ６１）。その後、図８に示すステップＳ３３の処理に移行する。なお、非会員用のコンテンツ情報とは、電車の遅延情報、納税通知情報等の公共の広告情報等の一般向けの内容の情報である。車載器３０ではコンテンツ情報が記憶部１ｆに保存される（ステップＳ１１）。保存されたコンテンツ情報は所定のタイミングで再生されることとなる。
一方、一致する車載器ＩＤがあれば会員であると判断して（ステップＳ６；Ｙ）、配信事業者の事業者コードの通知情報を路側無線装置２０に送信する（ステップＳ７）。
【００５２】
路側無線装置２０を介して事業者コードの通知情報が受信されると、車載器１０の制御部４は記憶部１ｆに記憶されているアップリンク情報に含まれる事業者コードと、通知された事業者コードとを照合する（ステップＳ８）。一致する事業者コードがない場合（ステップＳ８；Ｎ）、図８に示すステップＳ３４の処理に移行する。
【００５３】
一致する事業者コードがある場合（ステップＳ８；Ｙ）、受信された事業者コードの配信事業者は正規の配信事業者であると判断し、制御部４は当該事業者コードに対応するアップリンク情報を記憶部１ｆから読み出してアップリンク情報記憶領域Ｍに書き込む（ステップＳ９）。前述のようにアップリンク情報は各配信事業者に応じて制御部４が生成し、更新を行っているので、配信事業者に応じた内容かつ最新の内容となっている。
【００５４】
一方、センター装置３０はデフォルトのコンテンツ情報を路側無線装置２０を介して車載器１０に配信する（ステップＳ１０）。デフォルトのコンテンツ情報とは、非会員用のコンテンツ情報と同様に公共の広告情報等の一般向けの内容の情報である。車載器１０では記憶部１ｆに配信されたコンテンツ情報が保存される（ステップＳ１１）。
また、センター装置３０は車載器１０に対し定期的にポーリングを行って（ステップＳ１２）、アップリンク情報記憶領域Ｍに書き込まれたアップリンク情報を要求する。
【００５５】
ＤＳＲＣ部３は、制御部４によりアップリンク情報の書込が行われると、センター装置３０からのポーリングに応じて、アップリンク情報記憶領域Ｍに記憶されているアップリンク情報を、路側無線装置２０を介してセンター装置３０に送信する（ステップＳ１３）。
【００５６】
以降の処理については、図８を参照して説明する。
図８に示すように、センター装置３０では制御部３１により、送信されたアップリンク情報に含まれる嗜好情報が最新バージョンに対応するものであるか否かを判断する（ステップＳ２１）。最新かどうかは、嗜好情報に含まれるバージョンの情報に基づいて判断することができる。最新バージョンに対応する場合（ステップＳ２１；Ｙ）、後述するステップＳ３１の処理に移行する。
【００５７】
最新バージョンに対応しない場合（ステップＳ２１；Ｎ）、制御部３１は最新バージョン対応の嗜好情報を設定するための設定情報を生成し、通信部３５を介して車載器１０に送信する（ステップＳ２２）。設定情報としては例えば図５に示した嗜好情報のフォーマットからなる設定テーブルが挙げられる。制御部３１は設定テーブルにおいて最新バージョンの情報の他、最新バージョンに対応する項目の項目数、各項目の項目番号、表示用テキスト、階層を入力し、設定情報とする。
【００５８】
このとき、フラグを全てデフォルト値０にしておくこととしてもよいし、受信した旧バージョンの嗜好情報と照合して最新バージョンの項目のうち、旧バージョンの嗜好情報の項目に対応する項目についてはフラグを１にして、旧バージョンの嗜好情報を予め設定しておくこととしてもよい。この場合、従来の旧バージョンの設定内容を最新バージョン対応の嗜好情報に反映させることができ、車載器１０側で初めから全てを設定する必要がなくなるので利便性が良い。また、嗜好情報の中で公共性の高い情報の項目については初期値としてフラグを１に設定しておくこととしてもよい。
【００５９】
車載器１０では設定情報を受信すると、制御部４が嗜好情報のバージョンが更新されたと判断し、その旨をユーザに通知する処理を行う。例えば、その旨を通知するメッセージ画面等を生成して表示部１ｅに表示させる（ステップＳ２３）。
【００６０】
一方、センター装置３０では旧バージョン対応の嗜好情報において最新バージョンに対応する項目があり、旧バージョンの嗜好情報を用いてコンテンツ情報を編成できるのであれば、制御部３１が編成を行う。例えば、旧バージョンと最新バージョンとで共通する項目がある場合、その項目に応じたコンテンツ情報を編成する。編成したコンテンツ情報は車載器１０に送信する（ステップＳ２４）。車載器１０では制御部４がコンテンツ情報を記憶部１ｆに保存させる（ステップＳ２５）。
【００６１】
次いで、車載器１０では制御部４の表示制御により、最新バージョン対応の嗜好情報の設定を行うか否か、設定の有無をユーザが指示するための操作画面を表示部１ｅに表示させる。そして、入力部１ｄを介して設定を行う旨の指示入力があった場合のみ（ステップＳ２６；Ｙ）、制御部４は最新バージョン対応の嗜好情報を設定するための操作画面を表示部１ｅに表示させ、ユーザに操作入力を行わせる。
【００６２】
図９に、その操作画面の一例を示す。
図９に示すように、操作画面ｄ１には最新バージョン対応の嗜好情報の項目をその階層構造に応じて表示させる。具体的には、項目番号順に嗜好情報を読み出し、表示用テキストを用いて各項目の項目名を項目番号順に表示させるとともに、階層の情報に基づいて図９に示すように各項目を階層状に構築する。つまり、階層「０」の項目は左詰めで表示させ、階層「１」、「２」等の従属する項目は、階層が下位であるほど表示位置を右にずらして表示させる。
【００６３】
なお、表示領域は限られているため、項目は階層構造に応じてプルダウン表示する。まず上位の項目のみを表示し、プルダウン表示の指示に応じてその項目に従属する下位の項目をプルダウン表示させる。
【００６４】
また、各項目にはチェックボックスを表示させる。チェックボックスにはユーザの操作入力に応じてユーザが視聴したい項目であることを示すチェックマークを表示させる。チェックマークは、個々の項目についてユーザに個々に操作入力させることとしてもよいが、上位の項目について操作入力されたならばその項目に従属する下位の項目全てについて操作入力されたとして、制御部４が自動的にチェックマークを表示させることとしてもよい。この場合、下位の項目について設定不要な項目があれば、後ほどユーザがチェックマークを外す操作入力を行うことにより設定を解除できる構成とする。このような構成とすることにより、項目数が多い場合には逐一ユーザが項目毎に操作入力を行う手間を省くことができる。
【００６５】
設定の操作入力が終了すると、制御部４は設定情報の各項目につき、ユーザの操作入力に応じてユーザが視聴したいか否かを示すフラグを書き込んで最新バージョン対応の嗜好情報とし、これをアップリンク情報記憶領域Ｍに書き込む（ステップＳ２８）。旧バージョンの嗜好情報が既に書き込まれている場合には上書きを行う。
【００６６】
一方、センター装置３０では車載器１０に対し定期的にポーリングを行い（ステップＳ２７）、アップリンク情報記憶領域Ｍに書き込まれたアップリンク情報を要求する。よって、車載器１０においてアップリンク情報記憶領域Ｍに最新バージョン対応の嗜好情報が書き込まれると、ポーリングに応じてＤＳＲＣ部３が当該嗜好情報をセンター装置１０に送信する（ステップＳ２９）。センター装置１０では、嗜好情報の更新がいつ行われるかを把握することができないので、車載器１０が相互通信エリアＺ内に存在する間は、定期的にポーリングを行い、アップリンク情報記憶領域Ｍにおける嗜好情報更新の有無を確認する。
【００６７】
なお、最新バージョン対応の嗜好情報の設定を行わずに（ステップＳ２６；Ｎ）、相互通信エリアＺからエリアアウトした場合、ステップＳ３４に進む。その後、ユーザにより上記のように最新バージョン対応の嗜好情報の設定が行われ、アップリンク情報としてアップリンク情報記憶領域Ｍに書き込まれると、次に相互通信エリアＺにエリアインしたときにセンター装置３０に送信されることとなる。したがって、次回相互通信エリアＺにエリアインした場合に、ユーザにより更新された嗜好情報をアップリンクするため、その嗜好情報に基づいたコンテンツ情報を受け取ることができる。
【００６８】
センター装置３０が最新バージョン対応の嗜好情報を受信すると、制御部３１は当該嗜好情報に基づいて、記憶部３４に記憶されている嗜好情報のうち該当するユーザの嗜好情報の更新を行う（ステップＳ３０）。次いで、制御部３１は最新バージョン対応の嗜好情報や、その他のアップリンク情報に基づいて最新バージョンのコンテンツ情報の編成を行い、車載器１０に送信する（ステップＳ３１）。具体的には記憶部３４に記憶されているコンテンツ情報のうち、嗜好情報において「１」のフラグに設定されている項目に分類されているコンテンツ情報等を選択する。車載器１０では受信したコンテンツ情報を制御部４が記憶部１ｆに保存する（ステップＳ３２）。
【００６９】
その後、センター装置３０が配信すべきコンテンツ情報を全て配信すると、配信終了を通知するメッセージ情報を制御部３１が生成して車載器１０に対し、送信する（ステップＳ３３）。この配信終了のメッセージ情報はユーザに対しエリアアウトを促すためのものである。その後、車載器１０の制御部４は、一定時間路側無線装置２０との通信が途絶えると、センター装置３０からのコンテンツ情報の配信が途絶えると、配信を終了したと判断してアップリンク情報を削除する制御を行う（ステップＳ３４）。この制御に応じて、ＤＳＲＣ制御部３ａはアップリンク情報記憶領域Ｍ内のアップリンク情報を削除する。
【００７０】
以上のように、本実施形態によれば、センター装置３０は車載器１０から嗜好情報を受信すると、最新バージョン対応のものかどうかを判断し、対応していない場合には最新バージョン対応の嗜好情報を設定するための設定情報を生成し、車載器１０に送信する。車載器１０では、設定情報を用いて最新バージョン対応の嗜好情報の設定を容易に行うことができる。従って、嗜好情報のバージョン更新に容易に対応することが可能となる。
【００７１】
センター装置３０は、設定情報を送信する際、受信した旧バージョンの嗜好情報において最新バージョンと対応する項目については、その旧バージョンの嗜好情報を予め設定した設定情報を生成して送信するので、車載器１０において全ての項目について逐一嗜好情報を設定する手間を省くことができ、利便性が高い。
【００７２】
センター装置３０は、受信した嗜好情報が旧バージョンであっても、最新バージョンに対応する項目があれば、当該項目に応じた最新バージョンのコンテンツ情報を送信するので、できるだけコンテンツ情報の配信するよう図ることができる。また、車載器１０において最新バージョン対応の嗜好情報が新たに設定されてセンター装置３０に送信されると、当該最新バージョンの嗜好情報に応じたコンテンツ情報を編成、送信することができる。
【００７３】
一方、車載器１０ではセンター装置３０から設定情報を受信すると、バージョンが更新された旨をメッセージ表示等によりユーザに通知するので、ユーザはバージョン更新を容易に把握することができる。また、設定情報を用いて最新バージョン対応の嗜好情報の設定を行うことが可能となる。従って、バージョンの更新に容易に対応することが可能となる。
【００７４】
また、車載器１０では最新バージョン対応の嗜好情報の設定の有無を指示するための操作画面を表示して、設定する旨の指示がなされた場合のみ設定のための操作画面を表示し、操作入力に応じて嗜好情報の設定を行い、センター装置３０に送信する。よって、ユーザの都合に応じて嗜好情報の設定の操作入力を行うことができる。
【００７５】
設定のための操作画面では、階層構造を有する嗜好情報の項目を階層状に構築するので、嗜好情報の項目の構成をユーザが把握しやすく、嗜好性を設定する操作入力をやりやすいものとすることができる。
【００７６】
なお、上記実施形態は本発明の好適な一例であり、これに限定されない。
例えば、嗜好情報の項目には常にフラグが１に設定される項目、つまりユーザの設定の有無に拘わらず視聴したい設定となる項目を設けることとしてもよい。これにより、ユーザの設定の有無に拘わらず、例えば行政からのお知らせ等の公共一般に知らしめたい情報の項目を常にフラグを１とする項目として設けることにより、当該項目に該当するコンテンツ情報を全てのユーザに一律に配信することが可能となる。
【図面の簡単な説明】
【００７７】
【図１】本実施形態における配信システムを示す図である。
【図２】図１の路側無線装置の相互通信エリアを説明する図である。
【図３】図１の車載器の機能的構成を示す図である。
【図４】アップリンク情報記憶領域に書き込まれたアップリンク情報の例を示す図である。
【図５】アップリンク情報記憶領域に書き込まれた嗜好情報の一例を示す図である。
【図６】センター装置の機能的構成を示す図である。
【図７】配信システムにおける処理の流れを説明する図である。
【図８】配信システムにおける処理の流れを説明する図である。
【図９】最新バージョン対応の嗜好情報を設定するための操作画面の一例を示す図である。
【符号の説明】
【００７８】
１００  配信システム
１０  車載器
１  カーナビ部
１ｄ  入力部１ｄ
１ｅ  表示部
１ｆ  記憶部
３  ＤＳＲＣ制御部３１部
３ａ  ＤＳＲＣ制御部
３ｂ  通信部
３ｃ  記憶部
Ｍ  アップリンク情報記憶領域
４  制御部
２０  路側無線装置
３０  センター装置
３１  制御部
３４  記憶部
【図１】
0005369439.tif 000002
【図２】
0005369439.tif 000003
【図３】
0005369439.tif 000004
【図４】
0005369439.tif 000005
【図５】
0005369439.tif 000006
【図６】
0005369439.tif 000007
【図７】
0005369439.tif 000008
【図８】
0005369439.tif 000009
【図９】
0005369439.tif 000010